(57)【要約】【課題】段ボール板を折り曲げて段ボール箱を組立てたときに壁部と蓋部の連続部の壁部側に形成されたミシン目の開口用窓が開口しにくく、組立てられた段ボール箱の強度も確保する。【解決手段】蓋部７と壁部４との連続部の壁部４側に未開口の開口用窓９をミシン目で形成する場合、当該壁部４と蓋部７との連続部で段ボール箱１の内側となる位置に谷折り内側の第１の加圧窪み線状部１０を形成すると共に、当該壁部４と蓋部７との連続部で段ボール箱１の外側となる位置に第２の加圧窪み線状部１１を形成し、第２の加圧窪み線状部１１は、開口用窓９の形成された壁部４に連続する蓋部７を当該壁部４に対して折り曲げたときに当該壁部４の段ボール箱内側延長線より蓋部７側に位置する。【選択図】図３
2012201398.tif 000002
【特許請求の範囲】
【請求項１】
箱体の側壁となる複数の壁部と、
前記箱体の底板となり前記複数の壁部の少なくとも１つの壁部に連続する底部と、
前記箱体の蓋板となり前記複数の壁部の少なくとも１つの壁部に連続する蓋部と、
前記蓋部と壁部との連続部の壁部側にミシン目で形成された未開口の開口用窓と、
少なくとも前記開口用窓の形成された壁部と蓋部との連続部で前記箱体の内側となる位置に形成された谷折り内側の第１の加圧窪み線状部と、
少なくとも前記開口用窓の形成された壁部と蓋部との連続部で前記箱体の外側となる位置に形成された第２の加圧窪み線状部と、
を備えた箱体組立用段ボール板。
【請求項２】
前記第２の加圧窪み線状部は、前記開口用窓の形成された壁部に連続する蓋部を当該壁部に対して折り曲げたときに当該壁部の箱体内側延長線より蓋部側に位置することを特徴とする請求項１に記載の箱体組立用段ボール板。
【請求項３】
前記１の加圧窪み線状部の窪み深さは前記第２の加圧窪み線状部の窪み深さより大きいことを特徴とする請求項１又は２に記載の箱体組立用段ボール板。
【請求項４】
前記請求項１乃至３の何れか一項に記載の箱体組立用段ボール板の壁部、底部、蓋部を折り曲げて組立てた段ボール箱。
【発明の詳細な説明】
【技術分野】
【０００１】
本発明は、箱体組立用段ボール板及び段ボール箱に関する。
【背景技術】
【０００２】
一般に、段ボール箱は、展開図状に連続した段ボール板を折り曲げて組立てられている。下記特許文献１では、段ボール箱の蓋板に相当する蓋部と段ボール箱の側壁に相当する壁部との連続部の壁部側にミシン目による未開口の開口用窓を形成している。
【先行技術文献】
【特許文献】
【０００３】
【特許文献１】実公昭５６−１８１７３号公報
【発明の概要】
【発明が解決しようとする課題】
【０００４】
本発明の目的は、段ボール板を折り曲げて段ボール箱を組立てたときに壁部と蓋部の連続部の壁部側に形成されたミシン目の開口用窓が開口しにくく、組立てられた段ボール箱の強度を確保することにある。
【課題を解決するための手段】
【０００５】
請求項１に記載の発明は、箱体の側壁となる複数の壁部と、前記箱体の底板となり前記複数の壁部の少なくとも１つの壁部に連続する底部と、前記箱体の蓋板となり前記複数の壁部の少なくとも１つの壁部に連続する蓋部と、前記蓋部と壁部との連続部の壁部側にミシン目で形成された未開口の開口用窓と、少なくとも前記開口用窓の形成された壁部と蓋部との連続部で前記箱体の内側となる位置に形成された谷折り内側の第１の加圧窪み線状部と、少なくとも前記開口用窓の形成された壁部と蓋部との連続部で前記箱体の外側となる位置に形成された第２の加圧窪み線状部と、を備えた箱体組立用段ボール板である。
【０００６】
請求項２に記載の発明は、前記第２の加圧窪み線状部は、前記開口用窓の形成された壁部に連続する蓋部を当該壁部に対して折り曲げたときに当該壁部の箱体内側延長線より蓋部側に位置することを特徴とする請求項１に記載の箱体組立用段ボール板である。
請求項３に記載の発明は、前記１の加圧窪み線状部の窪み深さは前記第２の加圧窪み線状部の窪み深さより大きいことを特徴とする請求項１又は２に記載の箱体組立用段ボール板である。
【０００７】
請求項４に記載の発明は、前記請求項１乃至３の何れか一項に記載の箱体組立用段ボール板の壁部、底部、蓋部を折り曲げて組立てた段ボール箱である。
【発明の効果】
【０００８】
請求項１に記載の発明によれば、本構成を有しない場合に比べて、段ボール板を折り曲げて段ボール箱を組立てたときに壁部と蓋部の連続部の壁部側に形成されたミシン目の開口用窓が開口しにくい。
請求項２に記載の発明によれば、本構成を有しない場合に比べて、組立てられた段ボール箱の強度が確保される。
【０００９】
請求項３に記載の発明によれば、本構成を有しない場合に比べて、壁部に対して蓋部を正確に折り曲げることができる。
請求項５に記載の発明によれば、本構成を有しない場合に比べて、段ボール板を折り曲げて段ボール箱を組立てたときに壁部と蓋部の連続部の壁部側に形成されたミシン目の開口用窓が開口しにくく、組立てられた段ボール箱の強度が確保される。
【図面の簡単な説明】
【００１０】
【図１】本発明の箱体組立用段ボール板及び段ボール箱の第１実施形態を示す段ボール板の正面図（展開図）である。
【図２】図１の段ボール板を折り曲げて組立てた段ボール箱の斜視図である。
【図３】図２の段ボール箱の開口用窓の詳細図である。
【図４】従来の段ボール箱の開口用窓の詳細図である。
【図５】従来の段ボール箱の開口用窓の詳細図である。
【発明を実施するための形態】
【００１１】
以下、本発明の箱体組立用段ボール板及び段ボール箱の実施形態について図面を用いて説明する。
図１は、本発明の箱体組立用段ボール板及び段ボール箱の第１実施形態を示す段ボール板２の正面図であり、図２は、図１の段ボール板を折り曲げて組立てた段ボール箱の斜視図である。図１は、図２の段ボール箱を段ボール板に展開した展開図と同等である。図２の段ボール箱１は直方体であるので、段ボール板１は、当該直方体の段ボール箱１の４つの側壁３を構成する４つの壁部４を有する。また、前記４つの壁部４の夫々には、段ボール箱１の図示しない底板を構成する底部５が図１の下方に連続して設けられている。また、前記４つの壁部４の夫々には、段ボール箱１の蓋板６を構成する蓋部７が図１の上方に連続して設けられている。これらの壁部４、底部５、蓋部７を、図１に示す一点鎖線で山折りに折り曲げることで図２の段ボール箱１が組立てられる。なお、図１の右端の壁部４の右方には、同図の左端の壁部４に接続するためののりしろ８が連続して設けられている。
【００１２】
本実施形態では、図２の段ボール箱１の右手前側壁３、図１の段ボール板２では右端の壁部４に、ミシン目で形成された未開口の開口用窓９が設けられている。この開口用窓９は、図１の右端の蓋部７と壁部４の連続部の壁部４側に設けられており、前記蓋部７と壁部４の折り曲げ線を長方形の１辺とし、当該折り曲げ線の下方に長方形の３辺をミシン目で形成している。この開口用窓９は、段ボール板２を折り曲げて段ボール箱１を組立てたときには未開口であり、例えば販売店でミシン目に沿って破り、蓋部７と壁部４の折り曲げ線で箱内側に折り曲げ、開口して使用する。このような開口用窓９を設けておくことにより、例えば図２の蓋板６を梱包テープで貼り合わせてある場合でも、その梱包テープを剥がすことなく、段ボール箱１の内部のものを取り出したり、内部にものを押し入れたり差し込んだりすることができる。
【００１３】
図３には、前記開口用窓９の近傍の側壁３（壁部４）及び蓋板６（蓋部７）の詳細を示す。図の破線が開口用窓９の下側のミシン目である。本実施形態では、図１の段ボール板２の状態で、開口用窓９が設けられている壁部４と蓋部７の連続部の段ボール箱１の内側に第１の加圧窪み線状部１０が設けられている。この第１の加圧窪み線状部１０は、開口用窓９が設けられていない壁部４と蓋部７の連続部にも同様に設けられており、例えば壁部４に対して蓋部７を折り曲げる折り曲げ内側に沿って図３の紙面垂直方向に一連に形成されている。
【００１４】
段ボール板２は、周知のように、ライナーと呼ばれる表裏面の平坦な外側紙と、２枚の外側紙の間で波打つように湾曲されているフルートと呼ばれる中芯とを積層して構成される。この段ボール板２の外側紙を加圧して窪ませると、その部分を折り曲げやすい。そこで、壁部４と蓋部７の折り曲げ内側に第１の加圧窪み線状部１０を設けておくことで、両者を折り曲げて段ボール箱１を組立てやすくなる。ちなみに、このような加圧窪み線状部は、例えば壁部４同士の折り曲げ部や壁部４と底部５の折り曲げ部にも同様に形成することで、段ボール箱１の組立が容易になる。
【００１５】
また、本実施形態では、少なくとも開口用窓９が設けられている壁部４と蓋部７の連続部の段ボール箱１の外側にも第２の加圧窪み線状部１１が設けられている。この第２の加圧窪み線状部１１も、段ボール板２を加圧して窪ませ、図３の紙面垂直方向に一連に形成されている。なお、第２の加圧窪み線状部１１の窪み深さよりも第１の加圧窪み線状部１０の窪み深さの方が大きい。また、図３に示すように、第２の加圧窪み線状部１１は、開口用窓９の形成された壁部４に連続する蓋部７を当該壁部４に対して折り曲げたときに当該壁部４の段ボール箱１の内側延長線より蓋部７側に位置する。
【００１６】
図４は、開口用窓９が設けられている壁部４と蓋部７の連続部の段ボール箱１の内側にのみ第１の加圧窪み線状部１０を設けた場合の説明図である。図４ａに示す段ボール板２の壁部４と蓋部７を折り曲げて段ボール箱１を組立てれば、夫々、図４ｂに示す段ボール箱１の側壁３と蓋板６になる。このように段ボール箱１の内側にのみ第１の加圧窪み線状部１０を設け、壁部４と蓋部７を折り曲げて段ボール箱１を組立てた場合、段ボール箱１の外側の外側紙には引張応力が作用し、その引張応力で開口用窓９のミシン目が破れて開口用窓９が開口してしまう恐れがある。
【００１７】
この段ボール箱１の外側の外側紙に作用する引張応力を低減するには、例えば図５ａのように、第１の加圧窪み線状部１０の段ボール板２を挟んだ反対側、即ち段ボール箱１の外側面に第２の加圧窪み線状部１１を形成することが考えられる。しかしながら、この段ボール板２を折り曲げて段ボール箱１を組立てると、図５ｂに示すように、組立てられた段ボール箱１の側壁３の表裏に第１の加圧窪み線状部１０と第２の加圧窪み線状部１１が対向してしまい、その部分の強度が低下して、例えば段ボール箱１を積み上げたときに座屈してしまう恐れがある。
【００１８】
なお、前記各実施形態では、直方体の段ボール箱１及び当該直方体の段ボール箱１を展開した段ボール板２についてのみ詳述したが、段ボール箱の形態は、これに限定されるものではない。また、組立てられる段ボール箱の形態に応じて段ボール板の展開状態も変更される。例えば、組立てられる段ボール箱が三角柱状である場合には、壁部の数は３つとなる。
【００１９】
また、段ボール箱に形成される開口用窓の形状も前記実施形態に限定されるものではない。開口用窓の形状がどのようなものであった場合でも、開口用窓の形成された壁部と蓋部の連続部の箱体内側に第１の加圧窪み線状部を形成し、当該連続部の箱体外側に第２の加圧窪み線状部を形成する。
【符号の説明】
【００２０】
１  段ボール箱（箱体）
２  段ボール板
３  側壁
４  壁部
５  底部
６  蓋板
７  蓋部
８  のりしろ
９  開口用窓
１０  第１の加圧窪み線状部
１１  第２の加圧窪み線状部
【図１】
2012201398.tif 000003
【図２】
2012201398.tif 000004
【図３】
2012201398.tif 000005
【図４】
2012201398.tif 000006
【図５】
2012201398.tif 000007